(57)【要約】      （修正有）【課題】頸部を前屈せずに、手元にある対象物を見ることができ、かつ、低コストで、日常的に使用することができる眼鏡用レンズ及び眼鏡を提供する。【解決手段】所定の方向を向いた視軸よりも下方から直進して入射する対象物からの光線Ｌ１を、視軸方向Ｌ２に直進する光線となるように屈折させるレンズ３０であって、レンズはプリズム、アッパーハーフ両凸レンズ、アッパーハーフ平凸レンズ、アッパーハーフ凸メニスカスレンズ、ローワーハーフ両凹レンズ、ローワーハーフ平凹レンズ、ローワーハーフ凹メニスカスレンズのいずれかである。【選択図】図２
2020024317.tif 000002
【特許請求の範囲】
【請求項１】
所定の方向を向いた視軸よりも下方から直進して入射する対象物からの光線を、視軸方向に直進する光線となるように屈折させる眼鏡用レンズ。
【請求項２】
プリズム、アッパーハーフ両凸レンズ、アッパーハーフ平凸レンズ、アッパーハーフ凸メニスカスレンズ、ローワーハーフ両凹レンズ、ローワーハーフ平凹レンズ、ローワーハーフ凹メニスカスレンズのいずれかである請求項１に記載の眼鏡用レンズ。
【請求項３】
複数種類のレンズを複合化して構成される複合レンズである請求項１または２に記載の眼鏡用レンズ。
【請求項４】
フレネルレンズである請求項１から３のいずれかに記載の眼鏡用レンズ。
【請求項５】
請求項１から４のいずれかに記載の眼鏡用レンズを備える眼鏡。
【発明の詳細な説明】
【技術分野】
【０００１】
本発明は、眼鏡用レンズ及びこれを備えた眼鏡に関する。
【背景技術】
【０００２】
近年、ラップトップパソコンを用いた事務作業のみならず、スマートフォンやタブレット端末を操作する際など、頸部を前屈した状態で作業を行う時間が増加している。
【０００３】
このように、頸部を前屈した状態は、頸部の筋肉に過剰な負荷を与えることとなる。このため、このような状態が長時間続くと、頭痛や肩こり、首こりといった症状が現れる。
【０００４】
さらに重度な状態になると、首こり（頚筋の異常）が自律神経を失調させ、様々な不定愁訴を引き起こす頚筋症候群も問題となっている。特に、頚筋症候群により不定愁訴を全身に抱えた状態が長く続くと、鬱症状（頚筋性鬱）が誘発されることがあり（非特許文献１）、日常生活や社会生活に重大な支障をきたす。
【０００５】
このような症状を予防するためには、脊椎、特に頸椎が自然な状態、すなわち、視軸が略水平方向となる状態で作業をすることが好ましい。しかしながら、このように作業するためには、ラップトップパソコンやスマートフォン、タブレット端末、書籍、手芸工作品などを顔の正面の位置まで上げた状態で固定し、作業をする必要があるため、専用の作業台を準備しなければならず、また、スマートフォンやタブレット端末など、手に持って作業をする場合には、腕への負担が多大となる。
【先行技術文献】
【非特許文献】
【０００６】
【非特許文献１】松井孝嘉著、「新型「うつ」原因は首にあった！」、大和書房、2009年12月5日、p.46-52
【発明の概要】
【発明が解決しようとする課題】
【０００７】
このため、頸部を前屈せずに、手元にあるスマートフォンやタブレット端末、書籍、手芸工作品などの対象物を見えるようにすること、すなわち、手元にある対象物が実際にある位置よりも上方にあるかのように見えるようにすることが望まれている。
【０００８】
このような方法としては、例えば、鏡を使ったり、もしくは、デジタルカメラで撮影した映像をポータブルなゴーグル型ディスプレーや、プロンプタのような固定型ディスプレー等に表示したりするなど、様々な器具を用いることが考えられる。
【０００９】
しかしながら、鏡を使った場合、１つの鏡のみでは鏡像として見えることになるため、正像とするためには、少なくとも２つの鏡を用いる必要があり、厚く、重量のある器具となってしまい、取り扱いが煩雑で、日常的に使用するには不便である。
【００１０】
また、ディスプレー等はコストがかかり、個人に普及させるには高価な器具となってしまう。
【００１１】
本発明では、このような現状に鑑み、頸部を前屈せずに、手元にある対象物を見ることができ、かつ、低コストで、日常的に使用することができる器具を提供することを目的とする。
【課題を解決するための手段】
【００１２】
本発明は、前述するような従来技術における課題を解決するために発明されたものであって、本発明の眼鏡用レンズは、
所定の方向を向いた視軸よりも下方から直進して入射する対象物からの光線を、視軸方向に直進する光線となるように屈折させることを特徴とする。
【００１３】
このような眼鏡用レンズは、プリズム、アッパーハーフ両凸レンズ、アッパーハーフ平凸レンズ、アッパーハーフ凸メニスカスレンズ、ローワーハーフ両凹レンズ、ローワーハーフ平凹レンズ、ローワーハーフ凹メニスカスレンズのいずれかとすることができる。
【００１４】
また、複数種類のレンズを複合化して構成される複合レンズであってもよい。
また、フレネルレンズであってもよい。
【００１５】
また、本発明の眼鏡は、上述するいずれかの眼鏡用レンズを備えることを特徴とする。
【発明の効果】
【００１６】
本発明によれば、所定の方向を向いた視軸よりも下方から直進して眼鏡のレンズに入射する対象物からの光線を、眼鏡のレンズによって視軸方向に直進する光線となるように屈折させることにより、視軸が略水平方向を向いた状態でも、手元など下方にある対象物を見られるようにすることができる。
【００１７】
このため、自然な姿勢で手元にあるスマートフォンなどの対象物を見ることができ、頭痛や肩こり、首こりといった症状の予防を期待できる。
【００１８】
また、一般的な眼鏡と同等の形状、厚さ、重量とすることができるため、日常的にも使用しやすい。さらには、使用するレンズも、一般的な眼鏡で用いられるレンズと同様な材料とすることができるため、一般的な眼鏡と同等のコストで提供することができる。
【図面の簡単な説明】
【００１９】
【図１】図１は、本実施形態における眼鏡の構成を説明するための概略構成図である。
【図２】図２は、図１の眼鏡で用いられるレンズの一例であるプリズムを説明するための模式図である。
【図３】図３は、図１の眼鏡で用いられるレンズの一例であるアッパーハーフ両凸レンズを説明するための模式図である。
【図４】図４は、図１の眼鏡で用いられるレンズの一例であるアッパーハーフ平凸レンズを説明するための模式図である。
【図５】図５は、図１の眼鏡で用いられるレンズの一例であるアッパーハーフ凸メニスカスレンズを説明するための模式図である。
【図６】図６は、図１の眼鏡で用いられるレンズの一例であるローワーハーフ両凹レンズを説明するための模式図である。
【図７】図７は、図１の眼鏡で用いられるレンズの一例であるローワーハーフ平凹レンズを説明するための模式図である。
【図８】図８は、図１の眼鏡で用いられるレンズの一例であるローワーハーフ凹メニスカスレンズを説明するための模式図である。
【図９】図９は、図１の眼鏡で用いられるレンズの一例であるフレネルレンズの説明をするための模式図である。
【図１０】図１０は、レンズの一部のみをフレネルレンズとした一例を示す模式図である。
【図１１】図１１は、図１の眼鏡で用いられるレンズの一例である複合レンズの説明をするための模式図であり、図１１（ａ）は、複合レンズの正面図、図１１（ｂ）は、視軸を水平方向に向けた場合の光線の進行方向を説明するための模式図、図１１（ｃ）は、視軸を下げた場合の光線の進行方向を説明するための模式図である。
【図１２】図１２は、図１の眼鏡で用いられるレンズの一例である複合レンズの別の形態を説明するための模式図であり、図１２（ａ）は、正面図、図１２（ｂ）は、視軸を水平方向に向けた場合の光線の進行方向を説明するための模式図、図１２（ｃ）は、視軸を下げた場合の光線の進行方向を説明するための模式図である。
【発明を実施するための形態】
【００２０】
以下、本発明の実施の形態（実施例）について、図面に基づいてより詳細に説明する。
図１は、本実施形態における眼鏡の構成を説明するための概略構成図、図２は、図１の眼鏡で用いられるレンズの一例を説明するための模式図である。なお、図面において描かれる軸Ｈは水平軸を意味し、軸Ｖは鉛直軸を意味する。
【００２１】
図１に示すように、本実施形態の眼鏡１０は、フレーム２０と、レンズ３０とを含む。フレーム２０は、従来既知の眼鏡で用いられるフレームと同様なものを用いることができる。
【００２２】
なお、本明細書において「眼鏡」とは、図１に示すような、一般的な眼鏡の形状のみならず、例えば、別の眼鏡を掛けた状態でその上から装着するオーバーグラスや、別の眼鏡にクリップや磁石によって取り付けて使用する前掛け式眼鏡などの形状も含むものである。
【００２３】
すなわち、後述するように、所定の方向を向いた視軸よりも下方から直進して入射する対象物からの光線を、視軸方向に直進する光線となるように屈折させるレンズ（本明細書において、「屈折レンズ」と言う。）を用いた眼鏡であれば、眼鏡の形状は特に限定されない。
【００２４】
なお、本明細書では、図１０，１１に係る実施形態を除き、「所定の方向」として、視軸が水平方向を向いた状態で、水平軸よりも下方にある対象物Ｔを見ることができる眼鏡１０として説明するが、図１０，１１に係る実施形態で説明するように、視軸を水平方向よりも下げた状態（下視した状態）で、その視軸よりも下方にある対象物Ｔを見ることができる眼鏡１０としてもよく、視軸をどの方向に向けた場合に、本発明としての効果を発揮させるかは、使用者の要望に応じて適宜変更することができる。
【００２５】
なお、本明細書において「水平軸」は、使用者が直立状態で水平方向を向いた状態の視軸と平行な軸を言う。すなわち、使用者が仰向けに横たわった状態においては、視軸が鉛直方向上向きに向いているが、本明細書においては、この状態の視軸と平行な軸も「水平軸」となる。
【００２６】
また、本明細書において、所定方向を向いた視軸よりも「下方」とは、眼鏡１０を使用者が通常に装着した状態において、足下の方向を言う。具体的には、視軸から５°以上下方が視認できることが好ましく、より好ましくは１０°以上、さらに好ましくは１５°以上である。
【００２７】
また、本明細書において、「視軸」とは、眼球の中心窩と節点とを結ぶ軸を意味し、使用者が裸眼の状態において、視軸は視認したい対象物Ｔを通過する。
【００２８】
レンズ３０は、図２に示すように、水平軸Ｈよりも下方から直進して入射する対象物Ｔからの光線（入射光線Ｌ１）を、視軸と略平行方向に直進する光線（視認光線Ｌ２）となるように屈折させるように構成される。
【００２９】
レンズ３０は、従来既知の眼鏡で用いられるレンズと同様な材料により形成することができ、例えば、レンズ３０を薄くしたい場合には、屈折率の大きい材料を選択し、また、レンズ３０の色収差を小さくしたい場合には、複屈折の少ない材料を選択することができる。
【００３０】
また、レンズ３０としては、色付きレンズ、偏光レンズ、調光レンズなどとする事もできる。
【００３１】
また、レンズ３０の表面加工についても、従来既知の眼鏡で用いられるレンズと同様に、例えば、ＵＶカット加工、ブルーライトカット加工、反射防止用コート処理、防汚コート処理、耐擦傷コート処理、防曇コート処理、ミラーコート処理などを施すこともできる。
【００３２】
本実施形態では、レンズ３０（屈折レンズ）は、図２に示すように、鉛直方向下方に向かって厚くなるプリズムが用いられる。
このように構成することにより、視認光線Ｌ２は、視軸と略平行方向に直進して、眼球Ｅに入射することになるため、使用者は、視軸を略水平方向とした状態で、水平軸よりも下方に存在する対象物Ｔを視認することが可能となる。
【００３３】
このように、鉛直方向下方に向かって厚くなるレンズ３０とすれば、水平軸Ｈよりも下方から直進して入射する対象物Ｔからの光線（入射光線Ｌ１）を、略水平方向に直進する光線（視認光線Ｌ２）となるように屈折させることができる。
【００３４】
鉛直方向下方に向かって厚くなるレンズ３０（屈折レンズ）としては、図２に示すプリズムに限定されない。
【００３５】
例えば、図３に示すように、両凸レンズの上半分（本明細書において、「アッパーハーフ両凸レンズ」と言う。）としてもよいし、図４に示すように、平凸レンズの上半分（本明細書において、「アッパーハーフ平凸レンズ」と言う。）としてもよく、また、図５に示すように、凸メニスカスレンズの上半分（本明細書において、「アッパーハーフ凸メニスカスレンズ」と言う。）としてもよい。
【００３６】
このように、レンズ３０を、アッパーハーフ両凸レンズ、アッパーハーフ平凸レンズ、アッパーハーフ凸メニスカスレンズとした場合には、対象物Ｔを拡大して視認することができる。
【００３７】
レンズ３０の拡大率は、レンズ３０の厚さや、レンズ３０を形成する材料の屈折率により、適宜変更することができる。拡大率が大きくなるほど屈折角度は大きくなるが、視認性や作業性を考慮すると、拡大率は、１〜６倍が好ましく、より好ましくは１〜３倍、さらに好ましくは１．２〜２．０倍である。
【００３８】
また、図６に示すように、両凹レンズの下半分（本明細書において、「ローワーハーフ両凹レンズ」と言う。）としてもよいし、図７に示すように、平凹レンズの下半分（本明細書において、「ローワーハーフ平凹レンズ」と言う。）としてもよく、また、図８に示すように、凹メニスカスレンズの下半分（本明細書において、「ローワーハーフ凹メニスカスレンズ」と言う。）としてもよい。
【００３９】
なお、レンズ３０としては、所定の方向を向いた視軸よりも下方から直進して入射する対象物Ｔからの光線を、視軸方向に直進する光線となるように屈折させるさせることができるレンズであれば、鉛直方向下方に向かって厚くなるレンズには限定されない。
【００４０】
例えば、レンズ３０は、フレネルレンズとすることもできる。図９に示すフレネルレンズは、図４に示すアッパーハーフ平凸レンズと同等なレンズ特性を有する。このように、レンズ３０をフレネルレンズとすることで、レンズ３０を薄く、軽量化することができる。
【００４１】
また、図１０に示すように、レンズ３０の一部のみをフレネルレンズとすることもできる。図１０（ａ）は、レンズ３０の内側（眼球側）において下半分のみをフレネルレンズとした一例を示す模式図である。
【００４２】
一般的にフレネルレンズは、同心円状若しくは鉛直方向に対して直角に平行な線が入る、結像性能が低下する、レンズの汚れを落としにくいなどというデメリットが存在する。しかしながら、図１０（ａ）に示すように構成することで、レンズの汚れを落としやすく、また、視認性のよいレンズ３０とすることができる。
【００４３】
また、図１０（ｂ）のように、フレネルレンズの段差３７を、レンズ３０を構成する材料よりも高屈折率の材料によって埋めるように構成することもできる。このように構成することによって、より視認性のよいフレネルレンズとすることができる。さらには、このように高屈折部３８を設けることにより、より下方を視認することができるようになる。
【００４４】
このような高屈折部３８は、レンズ３０を構成する材料よりも高屈折率の材料であれば、特に限定されるものではないが、加工のしやすさを考慮すると、樹脂材料を用いることが好ましい。
【００４５】
また、レンズ３０としては、複数種類のレンズを複合化して構成される複合レンズとすることもできる。
例えば、図１１に示すように、一般的な眼鏡で用いられる凸メニスカスレンズ３２の鉛直方向下方の下方領域Ａのみを屈折レンズであるアッパーハーフ平凸レンズ３４としたレンズ３０とすることができる。もちろん、下方領域Ａで用いる屈折レンズとしては、アッパーハーフ平凸レンズのみならず、上述する各種レンズとすることもできる。
【００４６】
特に、下方領域Ａにおいて、プリズムを複合化することにより、光線の屈折のみを行うことができ、また、凸レンズを複合化することにより、光線の屈折とともに対象物Ｔを拡大して視認できるようにすることができる。
【００４７】
この場合、図１１（ｂ）に示すように、視軸を水平方向に向けた場合には、レンズ３０による入射光線Ｌ１の屈折は起こらず、対象物Ｔから眼球Ｅまで光線は直進する。一方で、視軸を水平方向から下げた場合には、図１１（ｃ）に示すように、ローワーハーフ平凹レンズ３４によって、対象物Ｔからの入射光線Ｌ１は屈折し、視認光線Ｌ２は視軸方向に直進する。これにより、視軸を水平方向に向けた状態では、一般的な眼鏡と同等の見え方となり、視軸を水平方向から下げた場合には、さらに下方に存在する対象物Ｔが、実際にある位置よりも上方にあるかのように見えるようになる。
【００４８】
また、図１２に示すように、一般的な眼鏡で用いられる凸メニスカスレンズ３２の鉛直方向下方の下方領域Ａにおいて、凸メニスカスレンズ３２の表面に屈折レンズであるプリズム３５を設けることもできる。
【００４９】
この場合にも、図１２（ｂ）に示すように、視軸を水平方向に向けた場合には、レンズ３０による入射光線Ｌ１の屈折は起こらず、対象物Ｔから眼球Ｅまで光線は直進する。一方で、視軸を水平方向から下げた場合には、図１２（ｃ）に示すように、プリズム３５によって、対象物Ｔからの入射光線Ｌ１は屈折し、視認光線Ｌ２は視軸方向に直進する。これにより、視軸を水平方向に向けた状態では、一般的な眼鏡と同等の見え方となり、視軸を水平方向から下げた場合には、さらに下方に存在する対象物Ｔが、実際にある位置よりも上方にあるかのように見えるようになる。
【００５０】
なお、レンズ３０の下方領域Ａは、視軸を水平方向よりも下げた状態で視軸が通過する領域であり、レンズ３０全体における位置や広さなどは、使用者の要望に応じて適宜設定することができるが、例えば、視軸を水平軸Ｈから下方に５°〜３０°下げた状態で、視軸がレンズ３０を通過する領域を下方領域Ａとすることが好ましい。また、水平軸Ｈから下方領域までの間を累進的に変化させることもできる。
【００５１】
また、レンズ３０を複合化する場合、一体成形としてもよいし、各々のレンズを成形した後に接着させるようにしてもよい。
【００５２】
なお、通常、レンズ３０は、眼鏡１０のフレーム２０に装着するため、フレーム２０のリムの形状にあわせて切削加工される。すなわち、上述するようなレンズ３０がフレーム２０に装着される際には、レンズ３０の周囲が切削された状態で使用される。このようなレンズ３０の切削加工方法は、従来既知の眼鏡で用いられるレンズと同様な加工方法を用いることができる。
【００５３】
以上、本発明の好ましい実施形態について説明したが、本発明は上記実施形態に限定されることはなく、本発明の目的を逸脱しない範囲で種々の変更が可能である。
【符号の説明】
【００５４】
１０      眼鏡
２０      フレーム
３０      レンズ
３２      凸メニスカスレンズ
３４      アッパーハーフ平凸レンズ
３５      プリズム
Ａ        下方領域
Ｔ        対象物
Ｅ        眼球
Ｈ        水平軸
Ｖ        鉛直軸
Ｌ１      入射光線
Ｌ２      視認光線
【図１】
2020024317.tif 000003
【図２】
2020024317.tif 000004
【図３】
2020024317.tif 000005
【図４】
2020024317.tif 000006
【図５】
2020024317.tif 000007
【図６】
2020024317.tif 000008
【図７】
2020024317.tif 000009
【図８】
2020024317.tif 000010
【図９】
2020024317.tif 000011
【図１０】
2020024317.tif 000012
【図１１】
2020024317.tif 000013
【図１２】
2020024317.tif 000014